(57)【要約】【課題】苗を置くための空間及び補助者の作業空間を運転席の後側に確保することができ、且つ施肥を行う田植機を提供する。【解決手段】本発明に係る田植機は、圃場を走行する走行部１と、該走行部１の後側に連結してあり、苗を植え付ける植付部３０と、該植付部３０の上側に位置し、苗を載置する苗載台３１と、肥料を供給する施肥部５７とを備える田植機において、前記施肥部５７は、前後方向にて前記苗載台３１及び走行部１の間に位置することを特徴とする。【選択図】図１
2015221022.tif 000002
【特許請求の範囲】
【請求項１】
圃場を走行する走行部と、該走行部の後側に連結してあり、苗を植え付ける植付部と、該植付部の上側に位置し、苗を載置する苗載台と、肥料を供給する施肥部と
を備える田植機において、
前記施肥部は、前後方向にて前記苗載台及び走行部の間に位置すること
を特徴とする田植機。
【請求項２】
前記施肥部に供給する肥料を収容する肥料収容部を前記走行部の前部に設けてあること
を特徴とする請求項１に記載の田植機。
【請求項３】
前記肥料収容部には、肥料を排出する排出口及び肥料を取り込む取込口を設けてあり、
前記排出口及び取込口に接続してあり、肥料が移動する通路と、
該通路内に送風する送風機と
を備え、
前記肥料収容部及び通路内を肥料が循環し、前記通路から前記施肥部に肥料が供給されるようにしてあること
を特徴とする請求項２に記載の田植機。
【請求項４】
前記施肥部に肥料を貯留する貯留部が隣接しており、
前記施肥部は前記貯留部を介して前記通路に接続していること
を特徴とする請求項３に記載の田植機。
【請求項５】
前記肥料収容部及び通路を含む肥料移動機構を複数備え、
複数の前記肥料移動機構それぞれから前記施肥部に肥料が供給されるようにしてあること
を特徴とする請求項３又は４に記載の田植機。
【発明の詳細な説明】
【技術分野】
【０００１】
本発明は圃場に苗を植え付け、施肥を行う田植機に関する。
【背景技術】
【０００２】
田植機は、走行機体と、該走行機体の後部に連結してあり、苗を載置する苗載台と、該苗載台から供給された苗を植え付ける植付部とを備える。田植機は圃場を前方に移動しながら植付部の駆動によって苗を順に植え付ける。近年では、運転席の後側に施肥装置を設置し、該施肥装置に肥料を投入して、苗の植え付けと共に施肥を行う田植機も提案されている（例えば特許文献１参照）。
【０００３】
施肥装置は肥料を案内するホースを有している。ホースは植付部付近まで延びており、植付部によって植え付けられた苗の近傍に肥料を供給する。
【先行技術文献】
【特許文献】
【０００４】
【特許文献１】特開２０１３−６６４９３号公報
【発明の概要】
【発明が解決しようとする課題】
【０００５】
苗の植え付けが進行した場合、苗置台に苗を補給しなければならない。近年、苗を補給する補助者が運転者と田植機に乗車することがある。補助者は運転席の後側で苗を補給する作業を行う。しかし運転席の後側には施肥装置が設けてあり、苗を置くための空間及び補助者の作業空間が十分確保されているとは言えない。
【０００６】
本発明は斯かる事情に鑑みてなされたものであり、苗を置くための空間及び補助者の作業空間を確保し、施肥を行う田植機を提供することを目的とする。
【課題を解決するための手段】
【０００７】
本発明に係る田植機は、圃場を走行する走行部と、該走行部の後側に連結してあり、苗を植え付ける植付部と、該植付部の上側に位置し、苗を載置する苗載台と、肥料を供給する施肥部とを備える田植機において、前記施肥部は、前後方向にて前記苗載台及び走行部の間に位置することを特徴とする。
【０００８】
本発明においては、前後方向において苗載台及び走行部の間に施肥部を設けることによって、運転席の後側に、予備苗を載置する空間及び補助者が作業する空間を確保することができる。
【０００９】
本発明に係る田植機は、前記施肥部に供給する肥料を収容する肥料収容部を前記走行部の前部に設けてあることを特徴とする。
【００１０】
本発明においては、肥料収容部を走行部の前部に設けることによって、走行部の後側に配置された植付部との間で良好なバランスを保つことができる。
【００１１】
本発明に係る田植機は、前記肥料収容部には、肥料を排出する排出口及び肥料を取り込む取込口を設けてあり、前記排出口及び取込口に接続してあり、肥料が移動する通路と、該通路内に送風する送風機とを備え、前記肥料収容部及び通路内を肥料が循環し、前記通路から前記施肥部に肥料が供給されるようにしてあることを特徴とする。
【００１２】
本発明においては、肥料が循環移動するので、必要な量の肥料が施肥部に常時供給される。そのため安定した施肥作業を実現することができる。
【００１３】
本発明に係る田植機は、前記施肥部に肥料を貯留する貯留部が隣接しており、前記施肥部は前記貯留部を介して前記通路に接続していることを特徴とする。
【００１４】
本発明においては、貯留部に所定量の肥料が貯留され、安定的に施肥部に肥料が供給される。また施肥部と貯留部とが近接し、肥料が施肥部に速やかに供給される。従来、施肥作業を中断した後、再開した場合、施肥部に肥料が供給されるまでは、施肥を行うことができなかった。そのため田植機が施肥を再開しても、圃場が部分的に施肥されなかった。しかし貯留部を設けることによって、田植機が施肥を再開した場合、貯留部に貯留した肥料が供給されるので、再開後、直ちに施肥が行われる。
【００１５】
本発明に係る田植機は、前記肥料収容部及び通路を含む肥料移動機構を複数備え、複数の前記肥料移動機構それぞれから前記施肥部に肥料が供給されるようにしてあることを特徴とする。
【００１６】
本発明においては、複数の肥料移動機構を使用することによって、複数の肥料移動機構それぞれから複数の施肥部に肥料が供給されるので、各施肥部に供給される肥料の量の均一化を図ることができる。
【発明の効果】
【００１７】
本発明に係る田植機にあっては、前後方向において苗載台及び走行部の間に施肥部を設けることによって、運転席の後側に、予備苗を載置する空間及び補助者が作業する空間を確保することができる。
【図面の簡単な説明】
【００１８】
【図１】実施の形態１に係る田植機を略示する左側面図である。
【図２】田植機の肥料移動機構を略示する模式図である。
【図３】実施の形態２に係る田植機の肥料移動機構を略示する模式図である。
【図４】実施の形態３に係る田植機の植付部を略示する正面図である。
【図５】実施の形態４に係る肥料タンク付近の構成を略示する分解斜視図である。
【図６】肥料タンク付近の構成を略示する縦断面図である。
【図７】摺動板を略示する平面図である。
【図８】図７に示すＶＩＩＩ−ＶＩＩＩ線を切断線とした断面図である。
【発明を実施するための形態】
【００１９】
（実施の形態１）
以下本発明を実施の形態１に係る田植機を示す図面に基づいて説明する。図１は田植機を略示する左側面図である。以下の説明では図１において矢印で示す上下及び前後を使用し、また図１の表側を左側とし、裏側を右側とする。
【００２０】
田植機は、例えば、８条植えの乗用田植機であり、左右一対の前輪３、３及び後輪４、４にて支持された走行機体１（走行部）を備えている。この走行機体１の後方には昇降リンク機構９を介して植付部３０が装着されている。昇降リンク機構９は、昇降用油圧シリンダを備えており（図示略）、昇降用油圧シリンダ駆動部（図示略）が昇降用油圧シリンダを駆動することによって植付部３０を昇降させるように構成されている。
【００２１】
走行機体１は車体フレーム２を備えており、車体フレーム２の前部上方にはエンジン６が搭載されている。エンジン６の動力は変速ミッション８を介して後輪４、４に伝達され、走行機体１が走行する。エンジン６はボンネット５により覆われている。ボンネット５の左右両側には予備苗載台２０、２０が配設されており、ボンネット５後部のダッシュボード１１上には操向ハンドル１４が配設されている。また、変速ミッション８は車体カバー７により覆われている。車体カバー７の上部には座席１３が配設されている。座席１３の後側には、予備苗を載置するための空間及び補助者が作業するための空間が確保されている。
【００２２】
走行機体１の後部に連結している植付部３０は、苗載台３１、植付伝動ケース３２、サイドフロート３３、３３、センターフロート３４、ロータリーケース３５等を備えている。苗載台３１はマット状の苗を載置するための載置台であり、走行機体１に対して前高後低に配設され、下ガイドレール及び上ガイドレールによって左右方向に摺動自在に支持されている。また、植付部３０は、当該植付部３０から前方に突出したローリング軸４１を昇降リンク機構９の後端におけるヒッチ部材に取付けた軸受けにて回転自在に軸支することにより、走行機体１に対してローリング軸４１を中心としてローリング自在に装着され、更に、この植付部３０とヒッチ部材との間には、植付部３０を走行機体１に対してローリング駆動させるためのローリング用油圧シリンダ４２が設けられている。
【００２３】
植付伝動ケース３２は、昇降リンク機構９の後端から後方へ突出するように連結されている。植付伝動ケース３２の下方にはリンク機構を介してサイドフロート３３、３３及びセンターフロート３４が回動自在に支持されており、フロート用油圧シリンダ（図示略）により圃場面に対する各フロート３３、３３、３４の傾きを変更できるように構成されている。
【００２４】
また、植付伝動ケース３２の後方には植付爪３６、３６を備えるロータリーケース３５が回転自在に支持されている。このロータリーケース３５は搭載される田植機の条数分だけ用意されるため、８条植えの田植機には８組みのロータリーケース３５が用意される。
【００２５】
田植機は、肥料が移動する肥料移動機構５０を備える。肥料移動機構５０は、走行機体１の前部に設けた肥料タンク５１（肥料収容部）と、該肥料タンク５１に連結され、肥料タンク５１から後方に延出し、肥料を循環搬送する搬送路５２（通路）と、該搬送路５２の後部に設けてあり、圃場に施肥を行う施肥ユニット５７とを備える。施肥ユニット５７は、前後方向において走行機体１及び苗載台３１の間に位置する。施肥ユニット５７は、田植機の条数分だけ用意されている。施肥ユニット５７は肥料を排出する下方に延びた排出路５７ｄを有する。なお肥料移動機構５０の詳細な構成は後述する。
【００２６】
このような構成の乗用田植機では、エンジン６の動力による前進走行とともに苗載台３１を左右方向に摺動させ、それぞれの条において、ロータリーケース３５を回転駆動させることにより植付爪３６、３６で一株分の苗を切り出し、植付作業を連続的に行うことができる。また施肥ユニット５７からそれぞれの条に対し肥料が供給される。
【００２７】
図２は田植機の肥料移動機構５０を略示する模式図である。肥料移動機構５０は肥料を収容する肥料タンク５１を備えている。肥料は、例えば粒状をなす。肥料タンク５１は開閉可能な蓋（図示略）を有する。作業者は蓋を開いて適宜肥料を肥料タンク５１内に補給する。肥料タンク５１は肥料を取り込む取込口５１ａと、肥料を排出する排出口５１ｂとを有する。
【００２８】
取込口５１ａ及び排出口５１ｂには、肥料を搬送する搬送路５２が連結している。取込口５１ａ及び排出口５１ｂは搬送路５２を介して連通している。
【００２９】
排出口５１ｂの近傍において、搬送路５２に給気路５６の一端部が接続しており、該給気路５６の他端部に送風機５５が接続している。搬送路５２の後部には複数の施肥ユニット５７、５７、・・・、５７が接続している。
【００３０】
肥料タンク５１の前部にはモータ５３が設けてあり、該モータ５３の回転軸にスクリュー５４が連結している。スクリュー５４は排出口５１ｂに挿入され、給気路５６及び搬送路５２の接続部分まで後方に延びている。
【００３１】
施肥ユニット５７は、肥料が投入されるホッパ５７ａを備え、該ホッパ５７ａの投入側が搬送路５２に接続している。ホッパ５７ａの内部には、所定量の肥料を繰り出す繰出部５７ｃ（施肥部）が設けてある。
【００３２】
繰出部５７ｃは上下に並設された二つの円盤状の板を有する。二つの板は平置きにしてあり、上側の板には周方向に複数の貫通孔が設けてある。下側の板には単数の貫通孔が設けてあり、下側の板は軸回りに回転する。下側の板の回転によって、上側の板の貫通孔と下側の板の貫通孔とは所定のタイミングで連通する。なお下側の板には、伝動機構（図示略）を介してエンジン６の動力が伝達し、下側の板は回転する。
【００３３】
ホッパ５７ａの排出側には、排出路５７ｄが連結している。なお繰出部５７ｃよりも搬送路５２側において、ホッパ５７ａの室内は、肥料を貯留する貯留室５７ｂ（貯留部）を形成している。貯留室５７ｂは繰出部５７ｃに隣接している。
【００３４】
モータ５３が回転し、スクリュー５４が回転した場合、肥料タンク５１に収容された肥料は、スクリュー５４によって給気路５６及び搬送路５２の接続部分まで搬送される。送風機５５の駆動によって、給気路５６を介して搬送路５２に空気が送り込まれる。送り込まれた空気（風）によって、給気路５６及び搬送路５２の接続部分まで搬送された肥料は、搬送路５２内を移動し、施肥ユニット５７それぞれに供給される。
【００３５】
施肥ユニット５７に供給されなかった肥料は、取込口５１ａを通過して肥料タンク５１に戻る。肥料は肥料タンク５１及び搬送路５２内を移動し、循環する。
【００３６】
施肥ユニット５７に供給された肥料は、ホッパ５７ａの貯留室５７ｂに貯留される。貯留室５７ｂに貯留された肥料は繰出部５７ｃ上側の板の貫通孔に入り込む。下側の板の貫通孔と上側の板の貫通孔と連通していない場合、肥料は上側の板の貫通孔に止まる。下側の板の貫通孔と上側の板の貫通孔とが連通した場合、肥料は下側の板の貫通孔を通過し、排出路５７ｄを通過して、圃場に至る。
【００３７】
繰出部５７ｃにおいて、上側の板の貫通孔と下側の板の貫通孔とは所定のタイミングで連通する。従って、田植機が圃場を移動する間、所定の間隔を空けて、圃場に対し施肥が実行される。
【００３８】
実施の形態１に係る田植機にあっては、前後方向において苗載台３１及び走行機体１の間に繰出部５７ｃを設けることによって、運転席１３の後側に、予備苗を載置する空間及び補助者が作業する空間を確保することができる。
【００３９】
また肥料タンク５１を走行機体１の前部に設けることによって、走行機体１の後側に配置された植付部３０との間で良好なバランスを保つことができる。
【００４０】
また肥料が循環移動するので、必要な量の肥料が繰出部５７ｃに常時供給される。そのため安定した施肥作業を実現することができる。
【００４１】
また貯留室５７ｂに所定量の肥料が貯留され、安定的に繰出部５７ｃに肥料が供給される。また繰出部５７ｃと貯留室５７ｂとが近接し、肥料が繰出部５７ｃに速やかに供給される。従来、施肥作業を中断した後、再開した場合、繰出部５７ｃに肥料が供給されるまでは、施肥を行うことができなかった。そのため田植機が施肥を再開しても、圃場が部分的に施肥されなかった。しかし貯留室５７ｂを設けることによって、田植機が施肥を再開した場合、貯留室５７ｂに貯留した肥料が供給されるので、再開後、直ちに施肥が行われる。
【００４２】
（実施の形態２）
以下本発明を実施の形態２に係る田植機を示す図面に基づいて説明する。図３は田植機の肥料移動機構５０を略示する模式図である。
【００４３】
田植機は二つの肥料移動機構５０を備える。一方の肥料移動機構５０は、肥料を収容する第１肥料タンク１５１（肥料収容部）を備えている。肥料タンク１５１は開閉可能な蓋（図示略）を有する。作業者は蓋を開いて適宜肥料を肥料タンク１５１内に補給する。肥料タンク１５１は肥料を取り込む取込口１５１ａと、肥料を排出する排出口１５１ｂとを有する。
【００４４】
取込口１５１ａ及び排出口１５１ｂには、肥料を搬送する第１搬送路５２ａ（通路）が連結している。取込口１５１ａ及び排出口１５１ｂは第１搬送路５２ａを介して連通している。
【００４５】
排出口１５１ｂの近傍において、第１搬送路５２ａに第１給気路５６ａの一端部が接続しており、該第１給気路５６ａの他端部に送風機５５が接続している。第１搬送路５２ａの後部に複数の施肥ユニット５７、５７、・・・、５７が接続している。
【００４６】
第１肥料タンク１５１の前部にはモータ５３ａが設けてあり、該モータ５３ａの回転軸にスクリュー５４ａが連結している。スクリュー５４ａは排出口１５１ｂに挿入され、第１給気路５６ａ及び第１搬送路５２ａの接続部分まで後方に延びている。
【００４７】
他方の肥料移動機構５０は、肥料を収容する第２肥料タンク１５２（肥料収容部）を備えている。第２肥料タンク１５２は開閉可能な蓋（図示略）を有する。作業者は蓋を開いて適宜肥料を第２肥料タンク１５２内に補給する。第２肥料タンク１５２は肥料を取り込む取込口１５２ａと、肥料を排出する排出口１５２ｂとを有する。
【００４８】
取込口１５２ａ及び排出口１５２ｂには、肥料を搬送する第２搬送路５２ｂ（通路）が連結している。取込口１５２ａ及び排出口１５２ｂは第２搬送路５２ｂを介して連通している。
【００４９】
排出口１５２ｂの近傍において、第２搬送路５２ａに第２給気路５６ｂの一端部が接続しており、該第２給気路５６ｂの他端部に送風機５５が接続している。第２搬送路５２ｂの後部には複数の施肥ユニット５７、５７、・・・、５７が接続している。
【００５０】
第２肥料タンク１５２の前部にはモータ５３ｂが設けてあり、該モータ５３ｂの回転軸にスクリュー５４ｂが連結している。スクリュー５４ｂは排出口１５１ｂに挿入され、第２給気路５６ｂ及び第２搬送路５２ｂの接続部分まで後方に延びている。
【００５１】
図３に示すように、単一の送風機５５が第１給気路５６ａ及び第２給気路５６ｂを介して二つの搬送路（第１搬送路５２ａ及び第２搬送路５２ｂ）に接続している。また第１搬送路５２ａ及び第２搬送路５２ｂそれぞれが同じ施肥ユニット５７に接続している。そのため、複数の送風機５５を使用する場合に比べて、二つの肥料移動機構５０、５０は全体的に小型化されている。
【００５２】
隣り合う施肥ユニット５７、５７それぞれは第１搬送路５２ａの上流側及び下流側に接続されている。一方、第１搬送路５２ａの上流側に接続された施肥ユニット５７は、第２搬送路５２ｂの下流側に接続され、第１搬送路５２ａの下流側に接続された施肥ユニット５７は、第２搬送路５２ｂの上流側に接続されている。すなわち、第１搬送路５２ａ及び第２搬送路５２ｂそれぞれに対し、肥料の流れ方向に関して、各施肥ユニット５７は逆順に接続してある。
【００５３】
モータ５３ａ、５３ｂが回転し、スクリュー５４ａ、５４ｂが回転した場合、第１肥料タンク１５１及び第２肥料タンク１５２に収容された肥料は、スクリュー５４ａ、５４ｂによって第１給気路５６ａ及び第１搬送路５２ａの接続部分並びに第２給気路５６ｂ及び第２搬送路５２ｂの接続部分まで搬送される。送風機５５の駆動によって、第１給気路５６ａ及び第２給気路５６ｂを介して第１搬送路５２ａ及び第２搬送路５２ｂに空気が送り込まれる。
【００５４】
図３の矢印にて示す如く、送り込まれた空気（風）によって、第１給気路５６ａ及び第１搬送路５２ａの接続部分並びに第２給気路５６ｂ及び第２搬送路５２ｂの接続部分まで搬送された肥料は、第１搬送路５２ａ及び第２搬送路５２ｂ内を移動し、施肥ユニット５７それぞれに供給される。
【００５５】
施肥ユニット５７に供給されなかった肥料は、取込口１５１ａ、１５２ａを通過して第１肥料タンク１５１及び第２肥料タンク１５２に戻る。肥料は第１肥料タンク１５１及び第２肥料タンク１５２並びに第１搬送路５２ａ及び第２搬送路５２ｂ内を移動し、循環する。
【００５６】
実施の形態２に係る田植機にあっては、二つの肥料移動機構５０、５０を使用することによって、二つの肥料移動機構５０、５０それぞれから複数の繰出部５７ｃ、５７ｃ、・・・、５７ｃに肥料が供給されるので、各繰出部５７ｃに供給される肥料の量の均一化を図ることができる。
【００５７】
一般に搬送路の上流側に接続された施肥ユニット５７には、下流側に接続された施肥ユニット５７よりも多量の肥料が供給される。しかし、第１搬送路５２ａ及び第２搬送路５２ｂそれぞれに対し、肥料の流れ方向に関して、各施肥ユニット５７は逆順に接続してあるので、各繰出部５７ｃに供給される肥料の量の均一化をより確実に図ることができる。
【００５８】
なお肥料移動機構５０を三つ以上設けてもよい。また上述した田植機は単一の送風機５５が二つの搬送路に接続しているが、複数の送風機５５それぞれを複数の肥料移動機構５０それぞれに接続してもよい。
【００５９】
実施の形態２に係る構成の内、実施の形態１と同様な構成については同じ符号を付し、その詳細な説明を省略する。
【００６０】
（実施の形態３）
以下本発明を実施の形態３に係る田植機を示す図面に基づいて説明する。図４は田植機の植付部３０を略示する正面図である。
【００６１】
植付部３０は左右に長い上レール３０ａと、該上レール３０ａの下方に位置し、左右に長い下レール３０ｂと、該下レール３０ｂ及び上レール３０ａを連結しており、苗載台３１を支持し、上下に長い複数の縦支持桿３０ｃとを備える。下レール３０ｂには、ロータリーケース３５が連結している。
【００６２】
複数の縦支持桿３０ｃは前傾姿勢で左右に並設されている。縦支持桿３０ｃは上レール３０ａ及び下レール３０ｂの後側（図４の紙面裏側）に位置する。
【００６３】
苗載台３１は縦長板状をなし、隣合う縦支持桿３０ｃ、３０ｃの間夫々において、縦支持桿３０ｃの後側に苗載台３１が配してある。苗載台３１の左右縁部分は縦支持桿３０ｃに前傾姿勢で固定されている。
【００６４】
上レール３０ａの前側に、複数の施肥ユニット５７が左右に並設してある。施肥ユニット５７夫々は上レール３０ａに固定してある。上レール３０ａは苗載台３１の上下方向中央部に位置するので、施肥ユニット５７夫々も苗載台３１の上下方向中央部に位置する。施肥ユニット５７夫々の上部は接続管５２ａを介して、搬送路５２に接続している。施肥ユニット５７夫々の下部に排出路５７ｄが接続されている。
【００６５】
施肥ユニット５７は苗載台３１の前側に位置し、且つ前傾姿勢をなす苗載台３１の上下方向中央部に施肥ユニット５７が位置するので、苗載台３１が施肥ユニット５７を覆っている。そのため、施肥ユニット５７に雨が侵入することを防止することができる。
【００６６】
（実施の形態４）
以下本発明を実施の形態４に係る田植機を示す図面に基づいて説明する。図５は肥料タンク５１付近の構成を略示する分解斜視図、図６は肥料タンク５１付近の構成を略示する縦断面図、図７は摺動板を略示する平面図、図８は図７に示すＶＩＩＩ−ＶＩＩＩ線を切断線とした断面図である。
【００６７】
肥料タンク５１は直方体状をなし、肥料タンク５１の後側面下端部に取込口５１ａ、排出口５１ｂが設けてある。また肥料タンク５１内の底部にスクリュー５４が設けてあり、スクリュー５４は排出口５１ｂに挿入され、給気路５６及び搬送路５２の接続部分まで後方に延びている。
【００６８】
肥料タンク５１の後側面部の上端部に左右に長いスリット５１ｃが設けてある。肥料タンク５１の上側には、肥料タンク５１に連通するホッパ１５１が設けてある。ホッパ１５１は、上部ホッパ１５２と、下部ホッパ１５３とを備える。下部ホッパ１５３は、その下端部開口の開口面積が上端部開口の開口面積よりも小さくなるように、角錐台状に形成されている。換言すれば下部ホッパ１５３の側面は、対向する側面間の幅が狭くなるように、前後及び左右方向に平行な面（水平面）に対して傾斜している。下部ホッパ１５３の下端部開口は肥料タンク５１の上端部開口と略同じ寸法であり、肥料タンク５１の上端部開口に連結している。
【００６９】
上部ホッパ１５２は、下部ホッパ１５３の上端部から上方に突出した平面視矩形状の箱形をなす。上部ホッパ１５２の上端部及び下端部は開口しており、上部ホッパ１５２の下端部開口と下部ホッパ１５３の上端部開口とは連通している。上部ホッパ１５２の左右側面夫々の上端部には凹部１５２ａが設けてある。
【００７０】
ホッパ１５１には、肥料を補給する補給ケース１６１が挿入されている。補給ケース１６１は肥料を収容している。補給ケース１６１は、上部補給ホッパ１６２と、下部補給ホッパ１６３と、蓋１６４とを備える。下部補給ホッパ１６３は、その下端部開口の開口面積が上端部開口の開口面積よりも小さくなるように、角錐台状に形成されている。下部補給ホッパ１６３は、下部ホッパ１５３と対応した形状をなし、下部ホッパ１５３よりも若干小さめに設計されている。
【００７１】
上部補給ホッパ１６２は、下部補給ホッパ１６３の上端部から上方に突出した平面視矩形状の箱形をなす。上部補給ホッパ１６２に上端部及び下端部は開口しており、上部補給ホッパ１６２の下端部開口と下部補給ホッパ１６３の上端部開口とは連通している。上部補給ホッパ１６２の左右側面夫々には、コの字状の取手１６５が設けてある。取手１６５の各端部は枢軸を構成する。前後方向を回転軸方向として前記枢軸を枢支する枢支部１６５ａを介して、取手１６５は上部補給ホッパ１６２の左右側面に回動可能に連結している。
【００７２】
取手１６５は、上部補給ホッパ１６２の左右側面において、凹部１５２ａに対応した位置に配置してあり、凹部１５２ａの内側に位置する。取手１６５は凹部１５２ａの内側に位置するので、作業者は取手１６５を容易に把持することができる。上部補給ホッパ１６２の上端部開口は取り外し可能な蓋１６４によって塞がれている。
【００７３】
作業者は必要に応じて蓋１６４を取り外すことができ、また蓋１６４によって上部補給ホッパ１６２の上端部開口を塞ぐことができる。作業者は取手１６５を把持して補給ケース１６１をホッパ１５１から抜き出すことができ、また補給ケース１６１をホッパ１５１に再度挿入することができる。
【００７４】
下部補給ホッパ１６３の下端部から枠部１６６が下方に突出している。枠部１６６は平面視矩形状をなす。枠部１６６の前後及び左右寸法は肥料タンク５１の上端部の前後及び左右寸法よりも小さく、枠部１６６は肥料タンク５１の上端部内側に位置する。
【００７５】
枠部１６６の後側面には、後述する摺動板１６７を挿脱する挿脱口１６６ａが設けてある。挿脱口１６６ａの位置は、スリット５１ｃの位置に対応している。図６に示すように、枠部１６６の左右内側面夫々には、上下に配置された二つのガイドレール１６６ｂ、１６６ｂが設けてある。ガイドレール１６６ｂは前後に延びている。
【００７６】
挿脱口１６６ａに摺動板１６７が挿入されている。摺動板１６７は二つのガイドレール１６６ｂ、１６６ｂの間を摺動し、枠部１６６の前側面に至っている。
【００７７】
摺動板１６７の後面にはコの字形の取手１６７ａが設けてある。図７及び図８に示すように、摺動板１６７の後面には取手１６７ａを挿入する二つの挿入孔１６７ｃ、１６７ｃが左右に並設してある。摺動板１６７の内部には取手１６７ａ、１６７ａを収容する二つの収容室１６７ｄが設けてある。収容室１６７ｄ夫々は挿入孔１６７ｃ夫々に連通している。収容室１６７ｄは前後に延びた筒状をなし、その直径は挿入孔１６７ｃの直径よりも大きい。
【００７８】
取手１６７ａの両端部は挿入孔１６７ｃ夫々に挿入され、収容室１６７ｄの内側に位置する。取手１６７ａの両端部には板状のストッパ１６７ｂが設けてあり、該ストッパ１６７ｂの直径は収容室１６７ｄの直径よりも若干小さく且つ挿入孔１６７ｃよりも大きい。従って、ストッパ１６７ｂは挿入孔１６７ｃの縁部分に当接し、取手１６７ａは挿入孔１６７ｃから抜けない。
【００７９】
作業者は補給ケース１６１をホッパ１５１に挿入する場合に、取手１６７ａを挿入孔１６７ｃに押し込んで収容室１６７ｄに収容させることができる。これにより、取手１６７ａが、補給ケース１６１のホッパ１５１への挿入の妨げとなることを防止することができる。なお枠部１６６は取手１６７がホッパ１５１への挿入の妨げとならないように設計されている。
【００８０】
補給ケース１６１がホッパ１５１に挿入された状態において、取手１６７はスリット５１ｃの内側に位置する。作業者は必要に応じて取手１６７を引っ張り、摺動板１６７をスリット５１ｃから抜き出すことができる。
【００８１】
摺動板１６７は枠部１６６の内側を塞いでおり、補給ケース１６１に収容された肥料は肥料タンク５１側に移動しない。作業者が摺動板１６７をスリット５１ｃから抜き出した場合、補給ケース１６１に収容された肥料は肥料タンク５１側に移動し、肥料タンク５１に肥料が補給される。
【００８２】
実施の形態４に係る田植機にあっては、予め肥料を収容した補給ケース１６１を準備し、肥料の補給が終了した補給ケース１６１を、新たな補給ケース１６１に交換するだけで肥料を補給することができるので、肥料補給に要する時間を容易に短縮することができる。また雨天時にホッパ１５１が開放されている時間を短縮することできるので、肥料への水の付着を防止することができる。
【００８３】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００８４】
１  走行機体（走行部）
３０  植付部
３１  苗載台
５０  肥料移動機構
５１  肥料タンク（肥料収容部）
５１ａ、１５１ａ、１５２ａ  取込口
５１ｂ、１５１ｂ、１５２ｂ  排出口
５２  搬送路（通路）
５２ａ  第１搬送路（通路）
５２ｂ  第２搬送路（通路）
５５  送風機
５７ｂ  貯留室（貯留部）
５７ｃ  繰出部（施肥部）
１５１  第１肥料タンク（肥料収容部）
１５２  第２肥料タンク（肥料収容部）
【図１】
2015221022.tif 000003
【図２】
2015221022.tif 000004
【図３】
2015221022.tif 000005
【図４】
2015221022.tif 000006
【図５】
2015221022.tif 000007
【図６】
2015221022.tif 000008
【図７】
2015221022.tif 000009
【図８】
2015221022.tif 000010